(57)【要約】  【課題】塵埃を塵取り本体内に確実に掃き込むことができる上、塵取りを持った状態で楽に移動できる塵取りを提供すること。【解決手段】一方に開口部を有する箱型の塵取り本体と、塵取り本体に連結アームを介して回動自在に連結される柄と、柄の回動動作に連動して塵取り本体の開口部を開閉する蓋体と、塵取り本体を前後に移動可能な車輪とを備え、  当該車輪は、塵取り本体の他方に取り付けられており、塵埃の掃き込み時には、床面よりも高い位置に配置されていて、塵埃の掃き込み時以外には、床面に当接していることを特徴とする。【選択図】図１
2006180984.tif 000002
【特許請求の範囲】
【請求項１】
一方に開口部を有する箱型の塵取り本体と、塵取り本体に連結アームを介して回動自在に連結される柄と、柄の回動動作に連動して塵取り本体の開口部を開閉する蓋体と、塵取り本体を前後に移動可能な車輪とを備え、
当該車輪は、塵取り本体の他方に取り付けられており、塵埃の掃き込み時には、床面よりも高い位置に配置されていて、塵埃の掃き込み時以外には、床面に当接していることを特徴とする塵取り。
【請求項２】
塵取り本体の他方に、塵取り本体を起立させた状態で設置するための設置用脚部が取り付けられていることを特徴とする請求項１記載の塵取り。
【発明の詳細な説明】
【技術分野】
【０００１】
本発明は、蓋付きの塵取りに関するものである。
【背景技術】
【０００２】
従来、この種の塵取りとしては、掃き込み用の開口部を一方に備えた箱型状の塵取り本体と、この塵取り本体の開口部を開閉する蓋体と、前記塵取り本体に回動自在に連結された柄とを備えた塵取りが開示されている（例えば、特許文献１参照）。
【特許文献１】特開平８−１２６６００号公報
【発明の開示】
【発明が解決しようとする課題】
【０００３】
しかしながら、上記のような蓋付きの塵取りは、一般的には、例えば、駅構内、オフィス、道路など清掃範囲が広大で、作業者が徒歩で移動しながら清掃する場合に使用されるものであり、作業者が清掃場所を移動するときに、塵取りを持ち上げて運ばなければならないため、作業負担が大きいという不具合がある。なお、塵取りを持ち上げないで、床面上を引き摺ると、床面との摩擦力で運びにくい上、床面を傷つけたり、騒音が発生して周囲に迷惑を掛けたりするなどの不具合が生じる。
本発明は、以上の問題点に鑑みてなされたものであって、塵埃を塵取り本体内に確実に掃き込むことができる上、塵取りを持った状態で楽に移動できる塵取りを提供することを目的としている。
【課題を解決するための手段】
【０００４】
本発明の塵取りは、
一方に開口部を有する箱型の塵取り本体と、塵取り本体に連結アームを介して回動自在に連結される柄と、柄の回動動作に連動して塵取り本体の開口部を開閉する蓋体と、塵取り本体を前後に移動可能な車輪とを備え、
当該車輪は、塵取り本体の他方に取り付けられており、塵埃の掃き込み時には、床面よりも高い位置に配置されていて、塵埃の掃き込み時以外には、床面に当接していることを特徴とするものである。
【０００５】
また、塵取り本体の他方に、塵取り本体を起立させた状態で設置するための設置用脚部が取り付けられていてもよい。
【発明の効果】
【０００６】
本発明の塵取りは、一方に開口部を有する箱型の塵取り本体と、塵取り本体に連結アームを介して回動自在に連結される柄と、柄の回動動作に連動して塵取り本体の開口部を開閉する蓋体と、塵取り本体を前後に移動可能な車輪とを備え、当該車輪は、塵取り本体の他方に取り付けられており、塵埃の掃き込み時には、床面よりも高い位置に配置されていて、塵埃の掃き込み時以外には、床面に当接しているので、
塵埃を開口部から塵取り本体内に掃き込む時に、塵取り本体が前後に移動せず、塵埃を塵取り本体内に確実に掃き込むことができる上、掃き込み時以外の時、例えば、別の清掃場所に移動する時には、車輪の転がりによって塵取り本体をスムーズに移動させることができる。
【０００７】
また、塵取り本体の他方に、塵取り本体を起立させた状態で設置するための設置用脚部が取り付けられているものでは、掃き込み時以外に、塵取り本体を起立させた状態で設置することができ、塵取り本体が車輪の転がりによって不用意に移動するのを防止できる。
【発明を実施するための最良の形態】
【０００８】
以下、本発明にかかる塵取りの一実施形態を図面に基づいて説明する。
【０００９】
本実施形態にかかる塵取り１は、図１から図３に示すように、前方に開口部２を有する箱型の塵取り本体３と、塵取り本体３に枢支される連結アーム４と、連結アーム４の略中央部分に連結され、連結アーム４を介して塵取り本体３に回動自在に連結される柄５と、柄５に連結され、柄５の動作に連動して塵取り本体３の開口部２を開閉する蓋体６と、塵取り本体３を前後に移動可能な車輪７と、車輪７の動きを制止し、塵取り本体３の起立姿勢を固定する設置用脚部８で構成されている。
【００１０】
塵取り本体３は、金属製の板材で箱型に形成されており、図１から図３に示すように、開口部２を前方に向けたときに床面に接地する底面部３１と、底面部３１の両側端部から立ち上がる左右側面部３２，３２と、左右側面部３２，３２に連接し、底面部３１に対向配置される上面部３３と、底面部の後端部から立ち上がり上面部３３に連接する背面部３４で構成されている。上面部３３は、底面部３１の略半分の大きさに形成されており、開口部２は、上面部３３側から底面部３１側に向けて斜め上向きに開口している。左右側面部３２，３２は、下辺を底面部３１の長さとし、上辺を上面部３３の長さとする略台形状で、前方側の斜辺が、上面部３３から底面部３１に向けて緩やかにカーブを描いている。また、底面部３１の前端部には、蓋体６の閉止時の衝突音を防止するとともに、底面部３１の前端部と床面との段差を解消するため、前方に向かって厚さが薄くなるように形成されたゴム製や合成樹脂製の軟質素材からなる緩衝部材９が取り付けられている。
【００１１】
連結アーム４は、金属製の棒材からなるもので、図１に示すように、塵取り本体３の開口幅よりやや長い懸架部４１と、懸架部４１の両端から同じ方向に略直角に屈曲形成されるアーム部４２，４２とを備え、アーム部４２，４２の遊端部は塵取り本体３の左右側面部３２，３２に回動自在に枢支されている。
【００１２】
柄５は、図１から図３に示すように、長い棒状で、上端部に持ち手５１が設けられており、蓋体６の表面側から裏面側に貫通して、下端部が連結アーム４の懸架部４１の長さ方向略中央部分に連結されている。
【００１３】
蓋体６は、図１から図３に示すように、左右側面部３２，３２のカーブに沿って開口部２を閉止可能な湾曲板状で、上面部３３の前端部にヒンジ６２を介して回動可能に連結されている。そして、蓋体６の前端側中央部分には、柄５を挿通可能な挿通孔６１が形成されている。
【００１４】
車輪７は、図２に示すように、塵取り本体３における掃き込み時に接地側の面となる背面部３４に、左右１つずつ配設されている。車輪７は、図１，図３に示すように、背面部３４における底面部３１側に、底面部３１を含む平面よりもやや上面部３３寄りに配置されている。より詳しくは、車輪７は、開口部２を前方に向けて塵取り本体３の底面部３１を床面に接地させたときに、床面には当接せず、床面よりも高い位置に配置されるとともに、柄５を引き上げて、塵取り本体３の底面部３１が床面から離れたときに、床面に当接する位置に配置されている。
【００１５】
設置用脚部８は、図３に示すように、金属製の板材を側面視略二等辺三角形状に屈曲形成したもので、図２，図３に示すように、塵取り本体３の背面部３４の上面部３３側に左右１つずつ配設されている。
【００１６】
上記構成の塵取り１は、図２，図３に示すように、柄５の持ち手５１を持ち上げて、柄５を垂直方向に配置させると、塵取り本体３が連結アーム４を介して柄５の動作に連動して、開口部２側が上方に配置されるとともに背面部３４が床面に対向配置され、塵取り本体３が起立状態となる。そして、塵取り本体３の開口部２全体が蓋体６で閉止され、塵取り本体３は、背面部３４に配設された車輪７および設置用脚部８によって床面上に支持され、塵取り１が自立する。
【００１７】
そして、柄５の持ち手５１を持って、図１に示すように、塵取り本体３の底面部３１を床面に接地させると、塵取り本体３が柄５に対して相対回動する。すると、柄５に連結されている蓋体６が、塵取り本体３の回動動作に連動して、ヒンジ６２を支点として開方向に回動し、塵取り本体３の開口部２が全開する。
【００１８】
この状態で、ほうき等を用いて床面上の塵埃を開口部２から塵取り本体３内部に掃き込む。このとき、車輪７が床面に当接せず、床面よりも高い位置に配置されているので、塵取り１が、ほうき等による掃き込み力によって掃き込み後方に移動してしまうことがなく、掃き込み作業が容易である。また、柄５の持ち手５１を持ち上げると、塵取り本体３は、開口部２が斜め上向きに開口した状態で床面から離れ、車輪７が床面に当接するので、車輪７によって塵取り本体３を前後にスムーズに移動させることができ、底面部３１の前端部と床面との隙間に残っている塵埃を効率よくきれいに掃き込むことができる上、底面部３１の摺接による床面の損傷や摺接音の発生を防止できる。また、別の清掃場所に移動する時には、車輪７の転がりによって塵取り本体３をスムーズに移動させることができる。さらに、不使用時には、柄５を持ち上げて、塵取り本体３を起立させるとともに、車輪７と設置用脚部８とを床面に接地させることにより、車輪７の転がりが制止され、塵取り１を安定した状態で立て置きすることができる。
【００１９】
なお、車輪７の個数や形状は、上記実施形態の塵取り１に限定されるものではなく、塵取り本体３の背面部の幅方向中央部分に１個設けられていてもよいし、あるいは幅方向に所定間隔ごとに３個以上設けられていてもよい。また、車輪の移動方向は前後方向に限られず、例えばユニバーサルジョイントによって任意の方向に移動可能に設けてもよい。なお、この場合は、塵取り本体３を起立させたときに塵取り１が自立するように、車輪の向きを固定するロック装置を設けておくことが好ましい。
【００２０】
また、塵取り１の材質は金属製に限られず、例えば合成樹脂製であってもよい。さらに、塵取り本体３への柄５および蓋体６の取り付け構造も上記実施の形態に限られず、塵取り本体３の底面部３１が床面に接地しているときに、開口部２が開口するとともに車輪７が床面より高い位置に配置され、塵取り本体３の底面部３１が床面から離れたときに、車輪が回動可能に床面に当接する構造であればよい。
【図面の簡単な説明】
【００２１】
【図１】本発明の一実施形態に係る塵取り１の外観斜視図である。
【図２】（ａ）図１の塵取り１の正面図である。（ｂ）図１の塵取り１の背面図である。
【図３】図１の塵取り１の左側面図である。
【符号の説明】
【００２２】
１    塵取り
２    開口部
３    塵取り本体
４    連結アーム
５    柄
７    車輪
【図１】
2006180984.tif 000003
【図２】
2006180984.tif 000004
【図３】
2006180984.tif 000005